(57)【要約】      （修正有）【課題】組み立て中に調整可能な相互接続を提供する改良されたシステムを提供する。【解決手段】自己整列バスバーアセンブリ１０は、ハウジング２６およびバスバー４２と、フロントホルダを含む。フロントホルダは、バスバー４２の少なくとも一部分を受け入れるバスバー受容開口部を画定する内壁と、内壁からバスバー受容開口部に内向きに延在する少なくとも１つの可撓性タブとを含む。少なくとも１つの可撓性タブは、バスバー４２の少なくとも一部分を付勢してバスバー受容開口部内で中央に位置させるように構成されている。バスバー受容開口部内の内壁およびバスバー４２の間に少なくとも１つのクリアランスが形成され、少なくとも１つのクリアランスは、バスバーアセンブリ１０の取付中に公差および／またはばらつきを考慮して少なくとも１つの第１および第２端子接続端部が移動することができるように構成されている。【選択図】図１
2019071271.tif 000002
【特許請求の範囲】
【請求項１】
自己整列バスバーアセンブリであって、前記バスバーアセンブリは、
ハウジングと、
第１端子接続端部、第２端子接続端部、および第１端子接続端部と第２端子接続端部との間に配置されたジョグ部を有するバスバーと、
前記ハウジングおよび前記バスバーと結合されるフロントホルダであって、前記フロントホルダは、前記バスバーの少なくとも一部分を受け入れるバスバー受容開口部を画定する内壁と、前記内壁から前記バスバー受容開口部に内向きに延在する少なくとも１つの可撓性タブとを含み、前記少なくとも１つの可撓性タブは、前記バスバーの前記少なくとも一部分を付勢して前記バスバー受容開口部内で中心を合わせるように構成されている、フロントホルダと、
を備え、
前記バスバー受容開口部内の前記内壁および前記バスバーの間に少なくとも１つのクリアランスが形成され、前記少なくとも１つのクリアランスは、前記バスバーアセンブリの取付中に公差および／またはばらつきを考慮して少なくとも１つの前記第１および第２端子接続端部が移動することができるように構成されている、自己整列バスバーアセンブリ。
【請求項２】
前記ハウジングおよび前記フロントホルダの間で前記バスバーの周りに配置されたスペーサをさらに備える、請求項１に記載のアセンブリ。
【請求項３】
前記ジョグ部が第１部分および第２部分を含み、前記第１部分が前記第２部分および前記第１端子接続端部の両方に略垂直に延在する、請求項１に記載のアセンブリ。
【請求項４】
前記第２部分および前記第１端子接続端部が略平行である、請求項３に記載のアセンブリ。
【請求項５】
前記ジョグ部が第１ジョグ部および第２ジョグ部を備える、請求項１に記載のアセンブリ。
【請求項６】
前記第１ジョグ部が第１部分および第２部分を含み、前記第１部分が前記第２部分および前記第１端子接続端部の両方に略垂直に延在する、請求項５に記載のアセンブリ。
【請求項７】
前記第２ジョグ部が第３部分および第４部分を含み、前記第３部分が前記第４部分および前記第２端子接続端部の両方に略垂直に延在する、請求項６に記載のアセンブリ。
【請求項８】
前記第１部分が前記第３部分に略垂直であり、かつ前記第１端子接続端部、前記第２端子接続端部、前記第２部分、および前記第４部分が略平行である、請求項７に記載のアセンブリ。
【請求項９】
前記ハウジングおよび前記バスバーの間に配置されたバスバーシールをさらに備え、前記ハウジングが、バスバーシール凹部が中に形成されたバスバー受容チャネルを含み、前記バスバーシール凹部は、前記バスバーシールを少なくとも部分的に支持するように構成されている、請求項１に記載のアセンブリ。
【請求項１０】
前記バスバーに形成された一対のノッチをさらに備え、前記一対のノッチは、前記バスバーシールを少なくとも部分的に支持するよう構成されている、請求項９に記載のアセンブリ。
【請求項１１】
前記フロントホルダが、
受容肩部が中に形成されたバスバー受容開口部であって、前記バスバーが前記受容肩部に着座するとともに係合するよう構成された少なくとも１つの角度保持機構をさらに含み、前記バスバーから前記フロントホルダが移動するのを防ぐ、バスバー受容開口部と、
前記ハウジングの保持タブを受け入れるよう構成されたフロントホルダ開口部であって、それにより前記フロントホルダを前記ハウジングに固定する、フロントホルダ開口部と、
をさらに含む、請求項１に記載のアセンブリ。
【請求項１２】
前記ハウジングがベースプレートおよび前記ベースプレートから外向きに延在する接続フランジを含み、かつ前記フロントホルダが本体部分および前記本体部分から外向きに延在するホルダフランジをさらに含み、前記本体部分および前記ホルダフランジの間に受容チャネルを形成し、前記接続フランジが前記受容チャネルに配置される、請求項１に記載のアセンブリ。
【請求項１３】
少なくとも１つのモーター端子を有するモーターと、
少なくとも１つのインバータ端子を有するインバータモジュールと、
前記少なくとも１つのモーター端子および前記少なくとも１つのインバータ端子を電気的に結合するよう構成された自己整列バスバーアセンブリと、
を備える車両であって、前記バスバーアセンブリは、
ハウジングと、
第１端子接続端部、第２端子接続端部、および前記第１端子接続端部と前記第２端子接続端部との間に配置されたジョグ部を有するバスバーと、
前記ハウジングおよび前記バスバーと結合されるフロントホルダであって、前記フロントホルダは、前記バスバーの少なくとも一部分を受け入れるバスバー受容開口部を画定する内壁と、前記内壁から前記バスバー受容開口部に内向きに延在する少なくとも１つの可撓性タブとを含み、前記少なくとも１つの可撓性タブは、前記バスバーの前記少なくとも一部分を付勢して前記バスバー受容開口部内で中心を合わせるように構成されている、フロントホルダと、
を備え、
前記バスバー受容開口部内の前記内壁および前記バスバーの間に少なくとも１つのクリアランスが形成され、前記少なくとも１つのクリアランスは、前記バスバーアセンブリの取付中に公差および／またはばらつきを考慮して少なくとも１つの前記第１および第２端子接続端部が移動することができるように構成されている、車両。
【請求項１４】
前記第１端子接続端部が前記少なくとも１つのインバータ端子に結合され、かつ前記第２端子接続端部が前記少なくとも１つのモーター端子に結合される、請求項１３に記載の車両。
【請求項１５】
前記ハウジングおよび前記フロントホルダの間で前記バスバーの周りに配置されたスペーサをさらに備える、請求項１３に記載の車両。
【発明の詳細な説明】
【技術分野】
【０００１】
本開示は、２つの電気部品間の電気接続に関し、より具体的には、電気部品への組み立て中のシール完全性を維持する可動バスバーアセンブリに関する。
【背景技術】
【０００２】
本明細書で提供される背景説明は、本開示の文脈を一般的に提示することを目的とするものである。本願発明は、この背景のセクションおよび出願時に先行技術として認められていない記述の態様の限りにおいて、 本開示に対する先行技術文献として明白にも暗示的にも認められていない。
【０００３】
一部のハイブリッド車両は、モーター／発電機とインバータを有する電力制御ユニットとの間に電気回路を含むことができる。バスバーは、モーターの電気端子と電力制御ユニットのインバータ端子に接続し、２つの部品の間に電気回路を形成することができる。電気回路を利用してバッテリからモーターに電力を供給し、発生した電力を発電機からバッテリに供給することができる。バスバーに流れる電流を測定するために、バスバーに電流センサーを取り付け、その測定値と電流指令値との比較に基づいてフィードバック電流制御を行うことができる。そして、電力制御ユニットでモーターを希望の回転数とトルクに制御することができる。
【０００４】
しかし、バスバーは、シングルスレッドの端子設計であってもよい。このように、バスバーは剛性があり、組み立て時に電気回路の公差を調整することはできない。さらに、複数のバスバーコネクタが必要になることがあり、パッケージサイズと組立時間が増加する。したがって、このような従来の電気回路は、その意図された目的のために機能するが、組み立て中に調整可能な相互接続を提供する改良されたシステムを提供することが望まれている。
【発明の概要】
【課題を解決するための手段】
【０００５】
本開示の様々な実施形態では、自己整列バスバーアセンブリが開示される。自己整列バスバーアセンブリは、ハウジングと、第１端子接続端部、第２端子接続端部、およびその間に配置されたジョグ部を有するバスバーと、ハウジングおよびバスバーに結合されるフロントホルダとを含む。フロントホルダは、バスバーの少なくとも一部を受け入れるバスバー受容開口部を画定する内壁と、内壁からバスバー受容開口部内に内部に延びる少なくとも１つの可撓性タブとを含む。少なくとも１つの可撓性タブは、バスバーの少なくとも一部を付勢し、バスバー受容開口部内で中心を合わせるように構成される。少なくとも１つのクリアランスが、内壁とバスバーとの間のバスバー受容開口部に画定され、少なくとも１つのクリアランスにより、バスバーアセンブリの取り付け中に、第１および第２の端子接続端部のうちの少なくとも１つが、公差および／またはばらつきを考慮して動くことができる。
【０００６】
本開示の様々な実施形態において、車両が開示される。車両は、少なくとも１つのモーター端子を有するモーターと、少なくとも１つのインバータ端子を有するインバータモジュールと、少なくとも１つのモーター端子および少なくとも１つのインバータ端子に電気的に結合するように構成された自己整列バスバーアセンブリとを含む。バスバーアセンブリは、ハウジングと、第１端子接続端部、第２端子接続端部、およびそれらの間に配置されたジョグ部を有するバスバーと、ハウジングおよびバスバーに結合されるフロントホルダとを含む。フロントホルダは、バスバーの少なくとも一部を受け入れるバスバー受容開口部を画定する内壁と、内壁からバスバー受容開口部内に内部に延びる少なくとも１つの可撓性タブとを含む。少なくとも１つの可撓性タブは、バスバーの少なくとも一部を付勢し、バスバー受容開口部内で中心を合わせるように構成される。少なくとも１つのクリアランスが、内壁とバスバーとの間のバスバー受容開口部に画定され、少なくとも１つのクリアランスにより、バスバーアセンブリの取り付け中に、第１および第２の端子接続端部のうちの少なくとも１つが、公差および／またはばらつきを考慮して動くことができる。
【０００７】
本開示の適用可能性のさらなる領域は、以下に提供される詳細な説明から明らかになるであろう。詳細な説明および特定の実施例は、例示のみを目的としており、本開示の範囲を限定するものではないことを理解されたい。
【０００８】
本開示は、詳細な説明および添付図面からより完全に理解されるであろう。
【図面の簡単な説明】
【０００９】
【図１】本開示のいくつかの実施形態による２つの電気部品を相互接続する例示的なバスバーアセンブリの斜視図である。
【図２】図１の例示的なバスバーアセンブリの正面図である。
【図３】図１のバスバーアセンブリの分解図である。
【図４】図３に示すバスバーアセンブリの斜視図である。
【図５】図３に示すバスバーアセンブリの線５−５に沿った断面図である。
【図６】図３に示すバスバーアセンブリの線６−６に沿った断面図である。
【図７】図３に示すバスバーアセンブリの線７−７に沿った断面図である。
【図８】図１〜図７に示すバスバーアセンブリの例示的な端子の斜視図である。
【図９】図１〜図７に示すバスバーアセンブリとともに使用され得る別の例示的な端子の斜視図である。
【発明を実施するための形態】
【００１０】
図１は、モーター／発電機１２およびインバータモジュール１４のような２つの電気部品を結合するように構成された例示的な自己整列バスバーアセンブリ１０を示す。しかし、自己整列バスバーアセンブリ１０は、様々な他の電気部品を接続するために様々な他のシステムで使用されてもよい。
【００１１】
図１および図２の実施例においては、バスバーアセンブリ１０は、モーター１２およびインバータモジュール１４を電気的に相互接続する。モーター１２は、車両（図示せず）の１つ以上の車輪を駆動するように構成され、一般に、ステータ１８、ロータ（図示せず）、およびステータ１８に電気的に接続され、ステータ１８から延びる複数のモーター端子２０を含む。
【００１２】
インバータモジュール１４は、バスバーアセンブリ１０を介してモーター１２に電気的に接続され、一般にハウジング２６、バスバーアセンブリ支持壁２８、および電流センサシステム３０を含むことができる。ハウジング２６は、電流センサシステム３０およびバスバーアセンブリ１０の少なくとも一部を収容する。バスバーアセンブリ１０は、バスバーアセンブリ支持壁２８に結合され、バスバーアセンブリ支持壁２８に形成された１または複数の開口部３２（図１）を通って延びることができる。インバータモジュール１４は、バッテリ（図示せず）からバスバーアセンブリ１０を介してモーター１２に電力を供給するように構成されている。モーター１２が発電機として動作する場合、インバータモジュール１４は、モーター１２からバスバーアセンブリ１０を介してバッテリに電力を供給するように構成される。
【００１３】
図３および図４を参照すると、自己整列バスバーアセンブリ１０は、一般に、シール部材３８、ハウジング４０、複数のバスバー４２、およびフロントホルダ４４を含む。図示の実施形態では、ハウジング４０は、ベースプレート４６とバスバー支持部４８とを含む。
【００１４】
ベースプレート４６は、長手方向軸「Ａ」に沿って延び、上面５０および下面５２を含み、バスバーアセンブリ支持壁２８に対して配置されるように構成されている。ベースプレート４６は、複数の取付部材５４と、複数のバスバー開口部５６（図７には１つのみ示されている）と、内側肩部５８（図５）とを画定している。取付部材５４は、それぞれ、ベースプレート４６を支持壁２８に結合するための１つ以上の固定具（例えば、ボルト）を受け入れるように構成された取付開口部６０を画定する。バスバー開口部５６はそれぞれ、バスバー４２の一部分がバスバー支持部４８に延びるように、バスバー４２の１つを受け入れるように構成される。内側肩部５８は、ハウジング４０とフロントホルダ４４とを分離するように構成されたスペーサ６２（図３および図５）を受ける面を画定する。
【００１５】
図３〜図７を参照すると、ベースプレート４６は、接続フランジ６４と、シールリング凹部６６と、凹部６８とをさらに画定する。接続フランジ６４は、フロントホルダ４４内に受容されるように構成され、シールリング凹部６６は、シールリング３８を受け入れるように構成され、凹部６８は、シールリング３８（図３参照）のハンガー７０を受け入れるように構成される。図３、図５および図６に示すように、接続フランジ６４（図５）は、フロントホルダ開口部７３（図６）内に受け入れられてフロントホルダ４４をベースプレート４６に結合するように構成された保持タブ又は機構７１を含む。
【００１６】
バスバー支持部４８は、ベースプレート下面５２に結合され、ベースプレート下面５２から軸「Ａ」に対して垂直または実質的に垂直な方向に延びている。続けて図５を参照すると、バスバー支持部４８は、一般に、前壁７２（図３）、後壁７４、および対向側壁７６および７８を含む。後壁７４および側壁７６は、バスバー４２を少なくとも部分的に囲みかつ支持するように構成された長さＬ１を有し、側壁７８は、図１および図２に示すように、モーター端子２０を収容するように長さＬ１より短い長さＬ２を有する。壁７２，７４，７６，７８は、内壁８２を有するバスバー受容チャネル８０を集合的に画定する。バスバーシール凹部８４が内壁８２に形成され、バスバー４２とハウジング４０との間にシールを確立するように構成されたバスバーシール８６を受け入れるように構成される。
図１〜図４に示すように、バスバーアセンブリ１０は、３相の電気回路を形成するために並列に配置された３つのバスバー４２を含む。しかし、バスバーアセンブリ１０は、アセンブリ１０が本明細書で定義されるように機能することを可能にする任意の適切な数のバスバー４２を有することができる。図８をさらに参照すると、各バスバー４２は、第１端子接続端部９０と、第２端子接続端部９２と、第１ジョグ部９４と、第２ジョグ部９６とを含む。しかし、バスバー４２は、例えば図９に示すように、第１および第２ジョグ部の別の構成を有することができる。
【００１７】
第１端部９０は、固定具挿入開口部９８を含み、インバータモジュール１４のインバータ端子（図示せず）のような電気端子に結合されるように構成される。このように、固定具（図示せず）を開口部９８とインバータ端子に挿入することができ、これらを結合する。第２端部９２は、固定具挿入開口部１００を含み、モーター端子２０などの電気端子に結合されるように構成される。このように、固定具（図示せず）を開口部１００とモーター端子２０に挿入することができこれらを結合する。しかし、バスバー４２と端子または他の接続との間の別の結合方法が想定される。さらに、第２端部９２は、バスバーシール８６の少なくとも一部を受け入れて支持するように形成された対向する凹部またはノッチ１０２（図５）を含む。
【００１８】
図８の実施例に示すように、第１ジョグ部９４は、バスバー第１端部９０に結合され、第１部分１０４と第２部分１０６とを含む。第１部分１０４は、第２部分１０６と第１端部９０との間に結合され、第１端部９０と第２部分１０６の両方に直交するかまたは実質的に直交するように延びる。したがって、第１ジョグ部９４の向きは、バスバー第１端部９０および／または第２端部９２が＋／−ｘ方向に移動または撓むことを可能にするように構成される（図４および図８参照）。このように、２つの構成要素間（例えば、バスバーアセンブリ１０とモーター１２およびインバータモジュール１４の少なくとも１つとの間）の公差／ばらつきを考慮してバスバーアセンブリ１０の取付中にバスバー端部９０および／または９２の撓みまたは移動が可能になる。
【００１９】
例示的な実施形態では、第２ジョグ部９６は、第１ジョグ部９４とバスバー第２端部９２との間に結合される。第２ジョグ部９６は、第１部分１０８と第２部分１１０とを含む。第１部分１０８は、第２部分１１０と第２部分９２との間に結合され、第２端部９２と第２部分１１０の両方に直交するかまたは実質的に直交するように延びる。したがって、第２ジョグ部９６の向きは、バスバー第１端部９０および／または第２端部９２が＋／−ｚ方向に移動または撓むことを可能にするように構成される（図４および図８参照）。このように、２つの構成要素間（例えば、バスバーアセンブリ１０とモーター１２およびインバータモジュール１４の少なくとも１つとの間）の交差／ばらつきを考慮してバスバーアセンブリ１０の取付中にバスバー端部９０および／または９２の撓みまたは移動が可能になる。
【００２０】
引き続いて図５、図７および図８を参照すると、バスバー第２端部９２は、受容開口部１１２および１または複数の角度保持機構１１４をさらに含むことができる。受容開口部１１２は、フロントホルダ４４のアームまたはクリップ１１６を受け入れて、フロントホルダ４４のバスバー４２への結合を容易にするように構成されている。角度保持機構１１４は、フロントホルダ４４をバスバー４２に固定するためにフロントホルダ４４に係合するように構成される。
【００２１】
例示的な実施形態では、フロントホルダ４４は、ハウジング４０およびバスバー４２に結合して、アンカーポイントまたは固定された中間ゾーン「ＩＺ」（例えば、ジョグ部９４，９６を含む）を確立し、そこからバスバー端部９０および／または９２が移動または撓むことができる。図５に示すように、フロントホルダ４４は、概して、外壁１２２と、バスバー受容開口部１２６を画定する内壁１２４とを有する本体部分１２０を含む。ホルダフランジ１２８が外壁１２２から延び、それらの間に受容チャネル１３０を画定する。受容チャネル１３０は、フロントホルダ４４をハウジング４０に結合するのを容易にするためにベースプレート接続フランジ６４を受け入れるように構成される。
【００２２】
フロントホルダ４４は、受容肩部１３２と、１または複数の可撓性フィンガまたはタブ１３４とを含む。肩部１３２は、内壁１２４から内側に延び、バスバー角度保持機構１１４に対して着座し、バスバー４２の‐ｙ方向への移動を防止するように構成される。クリップ１１６は、＋ｙ方向の動きを防止するように構成されている。可撓性タブ１３４は、内壁１２４からバスバー受容開口部１２６に延び、バスバー受容開口部１２６内でバスバー４２を中央に付勢するように構成されている。したがって、可撓性タブ１３４は、最初の組み立てのためにバスバー４２を中央にするが、本明細書で説明するように、バスバー４２をｘ方向に移動または撓めることができるように可撓性である。
【００２３】
バスバーアセンブリ１０を組み立てる方法は、シールリング３８、ハウジング４０、バスバー４２、フロントホルダ４４、スペーサ６２、およびバスバーシール８６を設けるステップを含む。ハウジング４０、フロントホルダ４４、および／またはスペーサ６２は、射出成形または他の適切なプロセスによって形成することができる。バスバーシール８６は、バスバーシール８６を凹部８４内に押し込むための硬い平坦な表面を提供することができるスペーサ６２によってバスバーシール凹部８４に配置することができる。バスバー４２は、その後、ハウジングベースプレート４６を通ってバスバー支持部４８に挿入することができる。あるいは、バスバーシール８６をバスバーノッチ１０２に着座させ、バスバー４２をハウジングベースプレート４６を通してバスバー支持部４８に挿入する。次に、フロントホルダ４４を第２ジョグ部９６の上に挿入して、可撓性タブ１３４が開口部１２６内でバスバー４２に係合して中心にし、角度保持機構が受容肩部１３２に着座し、クリップ１１６が受容開口部１１２に延び、接続フランジ６４が受容チャネル１３０内に配置される。そして、シールリング３８は、ハウジング４０の凹部６６内に着座することができる。
【００２４】
本明細書には、可動自己整列バスバーアセンブリのためのシステムおよび方法が記載されている。バスバーアセンブリは、ハウジングと、バスバーと、スペーサと、ハウジングおよびバスバーに結合されたフロントホルダとを含む。フロントホルダは、バスバー受容開口部を含み、バスバー、フロントホルダ、スペーサ、ハウジングの間に計算されたクリアランスが規定される。クリアランスにより、組み立てられた部品間の公差またはばらつきを考慮に入れるために、バスバーは、直交座標系の１つ以上の所定の方向に移動または撓むことができる。フロントホルダは、取付のためにバスバーを中心に付勢させるために内向きに延びる可撓性のタブを含むが、取り付け時には１つ以上の所定の方向に動くことができる。バスバーとハウジングの間に配置されたシールは、バスバーの取り付け時にシールの完全性を維持しながらバスバーの移動が可能になる。このように、バスバーアセンブリにより、インバータモジュールとモーターのような２つの部品間の組み立ての間、バスバーが移動することができ、シールの完全性を保持することを可能にする。
【００２５】
例示的な実施形態は、本開示が徹底され、発明の範囲を当業者に完全に伝えるように提供される。本開示の実施形態の完全な理解を提供するために、特定の構成要素、デバイス、および方法の例など、多くの具体的な詳細が示される。当業者であれば、特定の詳細を採用する必要はなく、例示的な実施形態は多くの異なる形態で実施することができ、いずれも本開示の範囲を限定するものと解釈すべきでないことは明らかであろう。いくつかの例示的な実施形態では、周知の手順、周知のデバイス構造、および周知の技術は詳細には記載されていない。
【００２６】
本明細書で使用される用語は、特定の例示的な実施形態を説明する目的のためのみであり、限定することを意図するものではない。本明細書で使用されている単数形「ａ」、「ａｎ」および「ｔｈｅ」は、文脈が明確にそうでないことを示さない限り、複数形も含むことが意図されている。「および／または」という用語には、関連するリストされた項目の１つまたは複数のすべての組み合わせが含まれる。  「ｃｏｍｐｒｉｓｅｓ，  ｃｏｍｐｒｉｓｉｎｇ（備える）」  「ｉｎｃｌｕｄｉｎｇ（含む）」および「ｈａｖｉｎｇ（有する）」という用語は、包括的であり、従って、記載された特徴、整数、ステップ、動作、要素、および／または構成要素の存在を特定するが、他の特徴、整数、ステップ、動作、要素、構成要素、および／またはそれらのグループのうちの１つまたは複数の存在または追加を排除するものではない。本明細書に記載された方法ステップ、プロセスおよび操作は、具体的に実行の順番として特定されない限り、必ずしも説明または図示された特定の順序で実行する必要があると解釈されるべきではない。また、追加のステップまたは代替のステップを使用できることも理解されたい。
【００２７】
第１、第２、第３などの用語は、様々な要素、構成要素、領域、層および／またはセクションを記述するために本明細書で使用されるが、これらの要素、構成要素、領域、層および／またはセクションは、これらの用語に限定されるべきではない。これらの用語は、ある要素、構成要素、領域、層、またはセクションを別の領域、層またはセクションと区別するためにのみ使用される。本明細書で使用する「第１」、「第２」などの用語は、文脈によって明白に示されない限り、シーケンスまたは順序を意味するものではない。したがって、以下に説明する第１の要素、構成要素、領域、層、またはセクションは、例示的な実施形態の教示から逸脱することなく、第２の要素、構成要素、領域、層またはセクションと呼ぶことができる。
【００２８】
実施形態の前述の説明は、例示および説明のために提供されたものである。これは網羅的であることを意図するものではなく、開示を限定するものでもない。特定の実施形態の個々の要素または特徴は、一般的に、その特定の実施形態に限定されず、特に示されていないまたは記載されていなくても、適用可能であれば、交換可能であり、選択された実施形態で使用することができる。これらはいろいろな形で変えることができる。このような変更は、開示からの逸脱と見なされるべきではなく、そのような変更のすべては、開示の範囲内に含まれることが意図される。
【符号の説明】
【００２９】
１０  自己整列バスバーアセンブリ
１２  モーター／発電機
１４  インバータモジュール
１８  ステータ
２０  モーター端子
２６  ハウジング
２８  バスバーアセンブリ支持壁
３０  電流センサシステム
３２  開口部
３８  シールリング
４０  ハウジング
４２  バスバー
４４  フロントホルダ
４６  ベースプレート
４８  バスバー支持部
５０  上面
５２  下面
５４  取付部材
５６  バスバー開口部
５８  内側肩部
６０  取付開口部
６２  スペーサ
６４  接続フランジ
６６  シールリング凹部
６８  凹部
７０  ハンガー
７３  フロントホルダ開口部
８０  バスバー受容チャネル
８２  内壁
８４  バスバーシール凹部
８６  バスバーシール
９０  第１端子接続端部
９２  第２端子接続端部
９４  第１ジョグ部
９６  第２ジョグ部
１０２  ノッチ
１０４  第１部分
１０６  第２部分
１０８  第１部分
１１０  第２部分
１１２  受容開口部
１１４  角度保持機構
１２６  バスバー受容開口部
１２８  ホルダフランジ
１３０  受容チャネル
１３２  受容肩部
１３４  可撓性タブ
【図１】
2019071271.tif 000003
【図２】
2019071271.tif 000004
【図３】
2019071271.tif 000005
【図４】
2019071271.tif 000006
【図５】
2019071271.tif 000007
【図６】
2019071271.tif 000008
【図７】
2019071271.tif 000009
【図８】
2019071271.tif 000010
【図９】
2019071271.tif 000011
【外国語明細書】
2019071271000001.pdf